(57)【要約】【課題】デバイス同士を上下方向に直線的に接続又は結合して使用可能であり、使用の際の左右方向のブレを構造的に抑えた両側雄ネジ、この両側雄ネジに接続される筒体及び基台を提供する。【解決手段】両側雄ネジ１は、基部１１と、第１雄ネジ部１２と、第２雄ネジ部１３と、から構成される。基部１１は、第１雄ネジ部１２及び第２雄ネジ部１３よりも大きな径である最大径となって左右方向に突出している。第１雄ネジ部１２は、基部１１の下部に直線的につながり、単数又は複数の雄ネジ部材で構成される。第２雄ネジ部１３は、基部１１の上部に直線的につながり、単数の雄ネジ部材で構成される。両側に接続又は結合されるデバイスは市販のものでよく、高価な専用品を揃えるよりも安価であるし、市販品であることから一方が損傷した場合の交換が容易である。【選択図】図１
2020020427.tif 000002
【特許請求の範囲】
【請求項１】
最大径を有する突出した基部と、
前記基部の下部に直線的につながり、前記基部よりも小径の第１雄ネジ部と、
前記基部の上部に直線的につながり、前記基部よりも小径の第２雄ネジ部と、
を有することを特徴とする両側雄ネジ。
【請求項２】
前記第１雄ネジ部は、径の異なる複数の雄ネジ部材が段階的に形成されていることを特徴とする請求項１記載の両側雄ネジ。
【請求項３】
請求項１又は２記載の両側雄ネジの第１雄ネジ部に螺合される筒体。
【請求項４】
周面に高さ測定用目盛が付されていることを特徴とする請求項３記載の筒体。
【請求項５】
請求項１又は２記載の両側雄ネジの第２雄ネジ部に螺合される基台。
【発明の詳細な説明】
【技術分野】
【０００１】
本発明は、両端に雄ネジを有する両側雄ネジ、この両側雄ネジの一端側に接続される筒体、この両側雄ネジの他端側に接続される基台に関する。
【背景技術】
【０００２】
デバイス同士を結合する際に、雄ネジと雌ネジとで両者を螺合して接続することはよく行われており、ネジの口径は種々あることから、互いに適合するネジ同士を組み合わせる必要がある。
【０００３】
特許文献１は、複数種類の径のネジに対応でき、部品点数の削減や部品管理が容易となるように構成された異径ネジ部材が開示されている。図６に示す異径ネジ部材１００は、ネジ頭部１１０と、ネジ頭部１１０につながる太径雄ネジ部１２０と、太径雄ネジ部につながる細径雄ネジ部１３０と、を備えるものであり、図６（Ａ）に示すように雄ネジ部が２段式のものや、図６（Ｂ）に示すように雄ネジ部が３段式のものが開示されている。
【０００４】
また、特許文献２は、図７に示すように、管体接続用の管継手であって、内径が異なった複数個の接続用管部材が大径側から順に一体化して形成してある。使用する際には、所望の内径の接続用管部材を使用し、先端方向に位置する他の接続用管部材を切断する。
【先行技術文献】
【特許文献】
【０００５】
【特許文献１】特開２０１２−１４９７４５号公報（図１、図１０等）
【特許文献２】特開昭６３−３０３２９２号公報（図５〜図７等）
【発明の概要】
【発明が解決しようとする課題】
【０００６】
特許文献１の異径ネジ部材は、締結を目的に使用されるものであり、デバイス同士を接続又は結合するものではない。そのため、片側に雄ネジが形成されているだけである。
【０００７】
特許文献２の管継手は、あらゆる方向の接続に対応可能となるように雄ネジが形成されている。主に継手としての機能を有し、用途によっては実用的でない場合がある。
【０００８】
本発明はこのような点に鑑みてなされたものであり、その目的は、デバイス同士を上下方向に直線的に接続又は結合して使用可能であり、使用の際の左右方向のブレを構造的に抑えた両側雄ネジを提供することにある。また、この両側雄ネジに接続される筒体及び基台を提供することにある。
【課題を解決するための手段】
【０００９】
上記課題を解決するために、本発明は、以下のものを提供する。
【００１０】
（１）  最大径を有する突出した基部と、前記基部の下部に直線的につながり、前記基部よりも小径の第１雄ネジ部と、前記基部の上部に直線的につながり、前記基部よりも小径の第２雄ネジ部と、を有する両側雄ネジ。
【００１１】
本発明によれば、第１雄ネジ部と基部と第２雄ネジ部とが直線的につながっていることから、第１雄ネジ部及び第２雄ネジ部にデバイスを接続又は結合して上下方向に持ち上げたとしても、基部の上側又は下側に位置するデバイスによって重心が左右方向に揺さぶられて下方向へのモーメントが掛かることを抑制でき、全体としての安定性を崩すことのない両側雄ネジを提供することができる。
【００１２】
（２）  前記第１雄ネジ部は、径の異なる複数の雄ネジ部材が段階的に形成されている両側雄ネジ。
【００１３】
本発明によれば、基部の下部に直線的につながる第１雄ネジ部は段階的な雄ネジ部材が階段状に形成されていることから、適合する雌ネジに対応して螺合することができる。
【００１４】
（３）  両側雄ネジの第１雄ネジ部に螺合される筒体。
（４）  周面に高さ測定用目盛が付されている筒体。
【００１５】
本発明によれば、第１雄ネジ部に螺合される筒体として市販のものを用い、高さ測定用目盛が予め付されているか後付けで貼付した筒体を用いることができる。
【００１６】
（５）両側雄ネジの第２雄ネジ部に接続される基台。
【００１７】
本発明によれば、第２雄ネジ部に接続される基台は、現状市販のものがないため別途作成する。
【発明の効果】
【００１８】
本発明の両側雄ネジは、デバイス同士を上下方向に直線的に接続又は結合し、デバイスを接続又は結合して上下方向に持ち上げても、左右方向のブレを構造的に抑えることができるという効果がある。
【図面の簡単な説明】
【００１９】
【図１】本発明の実施の形態に係る両側雄ネジの概略図。
【図２】本発明の実施の形態に係る他の両側雄ネジの概略図。
【図３】基部の平面図。
【図４】両側雄ネジの使用例を説明するための図。
【図５】両側雄ネジの使用例を説明するための図。
【図６】従来の例を示す図。
【図７】従来の例を示す図。
【発明を実施するための最良の形態】
【００２０】
以下、本発明の実施の形態について図面に基づいて説明する。
【００２１】
図１及び図２は、本発明の実施の形態に係る両側雄ネジ１，２の概略図である。両側雄ネジ１，２は、基部１１，２１と、第１雄ネジ部１２，２２と、第２雄ネジ部１３，２３と、から構成される。両側雄ネジ１の第１雄ネジ部１２は１段構成、両側雄ネジ２の第１雄ネジ部２２は、大径の雄ネジ部材２２ａと小径の雄ネジ部材２２ｂとの２段構成となっている。
【００２２】
基部１１，２１は、第１雄ネジ部１２，２２及び第２雄ネジ部１３，２３よりも大きな径である最大径となって左右方向に突出している。基部１１，１２の周面はレンチ等のトルク発生工具を使用して、所定の雌ネジに対して両側雄ネジ１，２を回転させることができ、図３に示すように六角形状を呈している。
【００２３】
第１雄ネジ部１２，２２は、基部１１，２１の下部に直線的につながり、単数又は複数の雄ネジ部材で構成される。複数の雄ネジ部材で構成される場合は、径の異なる複数の雄ネジ部材が段階的に形成されており、大径から小径の雄ネジ部材が段階的に設けられる。このため、大径の雄ネジ部材２２ａと螺合する雌ネジがある場合は、小径の雄ネジ部材２２ｂを嵌挿する。
【００２４】
一方、小径の雄ネジ部材２２ｂと螺合する雌ネジがある場合は、大径の雄ネジ部材２２ａ及び基部２１が一体的となって基部としての機能を有する。この場合でも、基部２１が最大径となって左右方向に突出しており、全体としての重心は基部２１に掛かることとなるから、全体としての安定性を崩すことはない。
【００２５】
第２雄ネジ部１３，２３は、基部１１，２１の上部に直線的につながり、単数の雄ネジ部材（１３，２３）で構成され、適合する雌ネジと螺合する。第２雄ネジ部１３，２３が複数の雄ネジ部材で構成されないのは、使用状況に応じて全体としての重心が基部１１，２１の上方にいったり下方にいったりと変化するのを回避するためである。第２雄ネジ部１３，２３に接続又は結合されるデバイスの位置が常に同じであるほど、使用者は操作性に慣れており、使用中における全体としての安定性を崩すことはない。
【００２６】
図４及び図５は、両側雄ネジの使用例を説明するための図であり、一例として両側雄ネジ１を使用した状態を示している。
【００２７】
図４に示す例は、市販の竿又は測定ポール等の筒体３の周面に高さ測定用目盛３１が付されており、高さ測定用基準バー４の高さ位置を測定可能な高所作業用高さ位置測定具５である。筒体３は径の異なる複数段のポール３ａ，３ｂ，３ｃ等によって自在に伸縮可能に構成され、最上端３ａ１には一般的にｗ１／２（インチサイズ）の雌ネジが用いられており、第１雄ネジ部１２と螺合させる。Ｔ字型の高さ測定用基準バー４は、脚部にｗ１/４（インチサイズ）の第２雄ネジ部１３と螺合する雌ネジを用いて作成する。
【００２８】
図５に示す例は、市販の竿又はポール等の筒体３及び市販の雲台６を両側雄ネジ１に取り付け、雲台６にカメラ８を設置した高所撮影用具７である。筒体３は径の異なる複数段のポール３ａ，３ｂ，３ｃ等によって自在に伸縮可能に構成されており、最上端３ａ１には一般的にｗ１／２（インチサイズ）の雌ネジが用いられており、第１雄ネジ部１２と螺合させる。雲台６は一般的にｗ１/４（インチサイズ）の雌ネジが用いられており、第２雄ネジ部１３と螺合させる。
【００２９】
このように、市販のデバイス同士を接続又は結合して高所作業用高さ位置測定具や高所撮影用具を構成することができ、高価な専用品よりも安価であるし、市販品であることから一方が損傷した場合の交換が容易である。
【００３０】
なお、両側雄ネジ１，２の基部１１，２１と第１雄ネジ部１２，２２の間や、基部１１，２１と第２雄ネジ部１３，２３の間にネジ溝を切らないスペーサーは不必要である。スペーサーがあると、全体としての重心が上方向に移動することになって、操作性が不安定となり、全体としての安定性を崩すことにつながるからである。
【産業上の利用可能性】
【００３１】
本発明に係る両側雄ネジは、市販のデバイスを接続又は結合して安価に作業用具を構成できるものとして有用である。
【符号の説明】
【００３２】
１，２  両側雄ネジ
３  筒体
４  高さ測定用基準バー（基台）
５  高所作業用高さ位置測定具
６  雲台（基台）
７  高所撮影用具
８  カメラ
【図１】
2020020427.tif 000003
【図２】
2020020427.tif 000004
【図３】
2020020427.tif 000005
【図４】
2020020427.tif 000006
【図５】
2020020427.tif 000007
【図６】
2020020427.tif 000008
【図７】
2020020427.tif 000009